(57)【要約】【課題】  照明装置を提供する。【解決手段】  本発明は、織布材料（１０）を照らす働きをする少なくとも１つの光源を有する自動車の照明装置に関する。  照明装置の構造および／または機能をさらに改良するために、照明装置（１２）は、織布材料（１０）を照らす働きをする複数の点状の光源（２１〜２６）を含む。【選択図】図１
2015162464.tif 000002
【特許請求の範囲】
【請求項１】
織布材料（１０）を照らす働きをする少なくとも１つの光源を有する自動車の照明装置であって、前記照明装置（１２）が前記織布材料（１０）を照らす働きをする複数の点状の光源（２１〜２６）を含むことを特徴とする照明装置。
【請求項２】
前記照明装置（１２）が、前記点状の光源（２１〜２６）を構成する光導波路（１６）を含むことを特徴とする請求項１に記載の照明装置。
【請求項３】
前記点状の光源（２１〜２６）を構成する前記光導波路（１６）がプリズム配列を含むことを特徴とする請求項２に記載の照明装置。
【請求項４】
前記プリズム配列が、間隔を空けて配置された複数のプリズムを含むことを特徴とする請求項３に記載の照明装置。
【請求項５】
前記照明装置（１２）が自動車のランプ内に一体化されることを特徴とする請求項１〜４のいずれか１項に記載の照明装置。
【請求項６】
奥行き効果が前記ランプ内で得られるように前記ランプ内の前記点状の光源（２１〜２６）が前記織布材料（１０）に対して構成され配置されることを特徴とする請求項５に記載の照明装置。
【請求項７】
前記織布材料（１０）が特別な光屈折特性を有することを特徴とする請求項１〜６のいずれか１項に記載の照明装置。
【請求項８】
請求項１〜７のいずれか１項に記載の照明装置（１２）を有するテールランプ（１）。
【請求項９】
前記織布材料（１０）が前記テールランプ（１）のフレーム（３）の内側に広がることを特徴とする請求項８に記載のテールランプ。
【請求項１０】
請求項８または９に記載のテールランプ（１）を有する自動車。
【発明の詳細な説明】
【技術分野】
【０００１】
本発明は、織布材料を照らす働きをする少なくとも１つの光源を有する自動車の照明装置に関する。さらに本発明はそのような照明装置を有するテールランプに関する。さらに本発明はそのようなテールランプを有する自動車に関する。
【背景技術】
【０００２】
下記特許文献１は、照らされる織物インサートを有するテールランプを開示する。
【先行技術文献】
【特許文献】
【０００３】
【特許文献１】韓国実用新案ＫＲ２０−０４５１５２３  Ｙ１号明細書
【特許文献２】独国特許出願公開第４１  ２９  ０９４  Ａ１号明細書
【特許文献３】独国特許出願公開第１０  ２０１０  ００６  ３４８  Ａ１号明細書
【特許文献４】独国特許出願公開第１０  ２０１３  ０１６  ８４２  Ａ１号明細書
【特許文献５】独国特許出願公開第１０  ２０１３  １０１  ０２１  Ａ１号明細書
【特許文献６】米国特許出願公開第２００８／０  ２６６  ８６３  Ａ１号明細書
【特許文献７】特開２０１０−０２１００１号公報
【特許文献８】韓国ＫＲ２０  ２００９  ０  ０１１  ２８１  Ｕ号明細書
【発明の概要】
【発明が解決しようとする課題】
【０００４】
織布材料を照らす働きをする少なくとも１つの光源を有する自動車の照明装置の構造および／または機能をさらに改良することが本発明の目的である。
【課題を解決するための手段】
【０００５】
織布材料を照らす働きをする少なくとも１つの光源を有する自動車の照明装置に関連するこの目的は、織布材料を照らす働きをする複数の点状の光源を照明装置が含むことで達成される。織布材料と組み合わせて点状の光源を使用することによって、スポット照明を簡単に達成し、奥行き効果を得ることが可能になる。
【０００６】
照明装置の１つの好ましい例示的実施形態は、点状の光源を表現する（構成する）光導波路（ａｎ  ｏｐｔｉｃａｌ  ｗａｖｅｇｕｉｄｅ）を照明装置が含むことを特徴とする。点状の光源（光点とも称され得る）を表現する光導波路の使用は、とりわけ、同じく点状の光源として使用できる多数のＬＥＤを省略できるという利点を有する。
【０００７】
照明装置のさらに好ましい例示的実施形態は、点状の光源を表現する光導波路がプリズム配列を含むことを特徴とする。プリズム配列によって織布材料は特に有利にバックライトを浴びることができる。
【０００８】
照明装置のさらに好ましい例示的実施形態は、間隔を空けて配置された複数のプリズムをプリズム配列が含むことを特徴とする。プリズムは光導波路の後面に有利に配置され、その結果、光は織布材料のスポット照明を可能にするように前面の方向に屈折される。
【０００９】
照明装置のさらに好ましい例示的実施形態は、照明装置が自動車のランプ内に一体化されることを特徴とする。有利に少なくとも１つのさらなる照明装置が自動車のランプ内に一体化される。本発明による照明装置はもっぱら特別の奥行き効果を得るように有利に働く。
【００１０】
照明装置のさらに好ましい例示的実施形態は、奥行き効果がランプ内で得られるようにランプ内の点状の光源が織布材料に対して構成され配置されることを特徴とする。本発明による照明装置の光導波路は、後面全体にわたる出力光学素子を有利に持たない。本発明の一態様によれば、光導波路は、具体的にはプリズムの形状のいくつかの出力光学素子を、所望の位置に有するだけである。出力領域の幅およびそれらの間の間隔は自由に選択することができる。結果として、特に放物線効果を自由に構成することが可能である。
【００１１】
照明装置のさらに好ましい例示的実施形態は、織布材料が特別な光屈折特性を有することを特徴とする。織布材料はランプ内で光学的奥行き効果を発生させるのに特に適している。
【００１２】
本発明はまた、上に記載したような照明装置を有するテールランプに関する。
【００１３】
テールランプの１つの好ましい例示的実施形態は、織布材料がテールランプのフレームの内側に広がることを特徴とする。織布材料の前面に配置されるのは、例えば、さらなる照明装置である。有利に本発明による照明装置、特に光導波路が、織布材料の後面に配置される。
【００１４】
さらに本発明は、上に記載したようなテールランプを有する自動車に関する。テールランプは自動車の中心に取り付けることができる。しかしながらテールランプは、自動車の後部で右側および左側に配置される２つのテールランプの１つであることもできる。
【００１５】
本発明は適切であれば自動車の上に記載したような照明装置を操作する方法にも関する。
【００１６】
本発明のさらなる利点、特徴および詳細は以下の記載から生じる。以下の記載では図面を参照して様々な例示的実施形態を詳細に記載する。
【図面の簡単な説明】
【００１７】
【図１】単一の付随する図面は、本発明による照明装置を簡単な遠近法で示す。
【発明を実施するための形態】
【００１８】
付随の図面は、自動車のテールランプ１を簡単な遠近法で示している。テールランプ１はフレーム３および照明装置５を含んでいる。
【００１９】
照明装置５は単に矩形で示され、枠８で部分的に囲まれている。枠８は枠９の内側に配置される。枠９はフレーム３に取り付けられる。
【００２０】
テールランプ１のフレーム３の内側に広がるのは織布材料１０である。織布材料１０は特別な光屈折特性を有する。織布材料１０に割り当てられるのは本発明による照明装置１２であり、テールランプ１内で光学的奥行き効果を得るようにされている。
【００２１】
本発明による照明装置１２は、光源１４および光導波路１６を含む。光導波路１６は管状の光導波路であり、それを通して、光源１４によって供給された光が矢印１８の方向に案内される。
【００２２】
光源１４は、例えばＬＥＤとして周知のものである。文字ＬＥＤは「ｌｉｇｈｔ−ｅｍｉｔｔｉｎｇ  ｄｉｏｄｅ（発光ダイオード）」を表す。
【００２３】
後面に光導波路１６は、点状の光源または光点を構成する（表現する）ためのプリズム２１〜２６を有する。プリズムは矢印１８の方向において互いに間隔を空けて配置される。プリズムによって光は光導波路１６の前面の方向に屈折され、その結果、織布材料１０は点状に照らされる。
【符号の説明】
【００２４】
１０  織布材料
１２  照明装置
２１  点状の光源
２２  点状の光源
２３  点状の光源
２４  点状の光源
２５  点状の光源
２６  点状の光源
【図１】
2015162464.tif 000003
【外国語明細書】
2015162464000001.pdf